(57)【要約】【課題】多くの人にとって使いやすい建具用ハンドル及び建具用ハンドルカバーを提供する。【解決手段】建具用ハンドル３は、基端部３３ａ側から頂部３３ｂ側に向かって軸線Ｏ方向に延びる基材３３と、基材３３の周方向の外周面３３ｐに沿って配置されるインナー部材４０と、インナー部材４０の周方向の外周面４２ｐに沿って配置され、インナー部材４０に取り付けられるとともに、把持可能とされたアウター部材５０と、アウター部材５０の少なくとも基端部３３ａ側から頂部３３ｂ側への移動を規制する規制部４と、を備えることを特徴とする。【選択図】図３
2020111901.tif 000002
【特許請求の範囲】
【請求項１】
基端部側から頂部側に向かって軸線方向に延びる基材と、
該基材の周方向の外周面に沿って配置されるインナー部材と、
該インナー部材の周方向の外周面に沿って配置され、前記インナー部材に取り付けられるとともに、把持可能とされたアウター部材と、
前記アウター部材の少なくとも前記基端部側から前記頂部側への移動を規制する規制部と、を備えることを特徴とする建具用ハンドル。
【請求項２】
前記規制部は、
前記アウター部材の前記基端部側の内径が、前記インナー部材の前記頂部側の外径よりも小さくなるようにして構成されている請求項１に記載の建具用ハンドル。
【請求項３】
前記規制部は、
前記インナー部材に設けられた突出部と、
前記アウター部材の内周側に設けられ、前記突出部に係合可能な溝部と、を有する請求項１に記載の建具用ハンドル。
【請求項４】
前記インナー部材は、周方向に複数に分割されている請求項１から３のいずれか一項に記載の建具用ハンドル。
【請求項５】
前記インナー部材は、前記基材の前記頂部に当接する位置決め部を有する請求項１から４のいずれか一項に記載の建具用ハンドル。
【請求項６】
基端部側から頂部側に向かって軸線方向に延びる基材の周方向の外周面に沿って配置されるインナー部材と、
該インナー部材の周方向の外周面に沿って配置され、前記インナー部材に取り付けられるとともに、把持可能とされたアウター部材と、
前記アウター部材の少なくとも前記基端部側から前記頂部側への移動を規制する規制部と、を備えることを特徴とする建具用ハンドルカバー。
【発明の詳細な説明】
【技術分野】
【０００１】
本発明は、建具用ハンドル及び建具用ハンドルカバーに関する。
【背景技術】
【０００２】
従来から、オペレータハンドルの操作により、障子が回動しながら移動することで開口部を開閉するように構成された縦辷り出し窓等の建具が知られている（下記の特許文献１参照）。
【先行技術文献】
【特許文献】
【０００３】
【特許文献１】特開２００８−２８０７９３号公報
【発明の概要】
【発明が解決しようとする課題】
【０００４】
しかしながら、上記の特許文献１に記載のオペレータハンドルのようなハンドルは、径が細い形状であるため、利用者が握って操作しにくいという問題点がある。
【０００５】
そこで、本発明は、上記事情に鑑みてなされたものであり、多くの人にとって使いやすい建具用ハンドル及び建具用ハンドルカバーを提供する。
【課題を解決するための手段】
【０００６】
上記目的を達成するために、本発明は以下の手段を採用している。
すなわち、本発明に係る建具用ハンドルは、基端部側から頂部側に向かって軸線方向に延びる基材と、該基材の周方向の外周面に沿って配置されるインナー部材と、該インナー部材の周方向の外周面に沿って配置され、前記インナー部材に取り付けられるとともに、把持可能とされたアウター部材と、前記アウター部材の少なくとも前記基端部側から前記頂部側への移動を規制する規制部と、を備えることを特徴とする。
【０００７】
また、本発明に係る建具用ハンドルでは、前記規制部は、前記アウター部材の前記基端部側の内径が、前記インナー部材の前記頂部側の外径よりも小さくなるようにして構成されていることが好ましい。
【０００８】
また、本発明に係る建具用ハンドルでは、前記規制部は、前記インナー部材に設けられた突出部と、前記アウター部材の内周側に設けられ、前記突出部に係合可能な溝部と、を有していてもよい。
【０００９】
また、本発明に係る建具用ハンドルでは、前記インナー部材は、周方向に複数に分割されていてもよい。
【００１０】
また、本発明に係る建具用ハンドルでは、前記インナー部材は、前記基材の前記頂部に当接する位置決め部を有していてもよい。
【００１１】
また、本発明に係る建具用ハンドルカバーは、基端部側から頂部側に向かって軸線方向に延びる基材の周方向の外周面に沿って配置されるインナー部材と、該インナー部材の周方向の外周面に沿って配置され、前記インナー部材に取り付けられるとともに、把持可能とされたアウター部材と、前記アウター部材の少なくとも前記基端部側から前記頂部側への移動を規制する規制部と、を備えることを特徴とする。
【発明の効果】
【００１２】
本発明に係る建具用ハンドル及び建具用ハンドルカバーによれば、多くの人にとって使いやすい。
【図面の簡単な説明】
【００１３】
【図１】本発明の一実施形態に係る建具用ハンドルが設けられる建具を屋内側から見た模式的な斜視図である。
【図２】本発明の一実施形態に係る建具用ハンドルの分解斜視図である。
【図３】本発明の一実施形態に係る建具用ハンドルの軸線方向に沿う断面図である。
【図４】本発明の一実施形態に係る建具用ハンドルの組み立てを説明する図であり、（ａ）基材にアウター部材を被せた状態を示し、（ｂ）基材とアウター部材との間にインナー部材を配置した状態を示し、（ｃ）アウター部材を基材の頂部側に引き上げた状態を示している。
【図５】本発明の一実施形態の変形例１に係る建具用ハンドルを示し、（ａ）軸線方向に直交する方向から見た図であり、（ｂ）Ａ−Ａ断面図である。
【図６】本発明の一実施形態の変形例２に係る建具用ハンドルを示し、（ａ）軸線方向に直交する方向から見た図であり、（ｂ）Ｂ−Ｂ断面図である。
【発明を実施するための形態】
【００１４】
以下、本発明の一実施形態に係る建具用ハンドルが設けられる建具の一例として、縦辷り出し窓について図面を基づいて説明する。
図１は、本発明の一実施形態に係る建具を屋内側から見た模式的な斜視図である。
図１に示すように、縦辷り出し窓１００は、建築物の壁部に形成された開口部Ｗに設けられ、四角形枠状に形成された枠体１と、枠体１内に上下方向を軸線方向として回動可能に納められた障子２と、を備えている。
【００１５】
本実施形態では、障子２は屋内側から見て左側が吊元側とされ、右側が開閉される戸先側とされている。
なお、以下の説明において、屋外側と屋内側とを結ぶ方向を屋内外方向と称する。壁部に設けられた縦辷り出し窓を屋内側から見たときに、上下となる方向を上下方向、左右となる方向を左右方向と称する。
【００１６】
枠体１は、左右方向に延在する上枠（不図示。以下同じ。）及び下枠１２と、上枠の左右方向の両端部と下枠１２の左右方向の両端部とをそれぞれ連結し上下方向に延在する縦枠１３と、を有している。
【００１７】
戸先側の（屋内側から見て右側）縦枠１３は、縦枠１３に設けられたスライド体（不図示）を上下方向に移動させて、後述する框体２０の縦框２３のロック部材（不図示）と係合及び解除するためのロックハンドルＬが設けられている。
【００１８】
下枠１２には、障子２を開閉操作するオペレータハンドル３が設けられている。オペレータハンドル３の回動により、（屋内側から見て）左側の吊元側に設けられたアーム（不図示。以下同じ。）に案内されて、障子２の右側の戸先側を開閉できるように構成されている。
【００１９】
障子２は、四角形状に形成された框体２０と、框体２０内に嵌め込まれたガラス２９と、を有している。
【００２０】
框体２０は、左右方向に延在する上框（不図示。以下同じ。）及び下框２２と、上框の左右方向の両端部と下框２２の左右方向の両端部とをそれぞれ連結し上下方向に延在する縦框２３と、を有している。
【００２１】
次に、オペレータハンドル（建具用ハンドル）について説明する。
図２は、オペレータハンドル３の分解斜視図である。
図２に示すように、オペレータハンドル３は、ハンドル本体３０と、インナー部材４０と、アウター部材５０と、規制部４と、キャップ６０と、を備えている。
【００２２】
図１に示すように、ハンドル本体３０は、下枠１２に固定される取付部３１と、取付部３１から屋内側に延出する延出部３２と、延出部３２の屋内側の先端部に設けられた基部（基材）３３と、を備えている。
【００２３】
図２に示すように、延出部３２の先端部から基部３３が延びる方向を、軸線Ｏ方向とする。換言すると、基部３３は、延出部３２側と接続される基端部３３ａ側から、基端部３３ａ側と反対側の頂部３３ｂ側まで、軸線Ｏ方向に沿って延びている。
以下の説明において、基端部３３ａ側を一端部側と称し、頂部３３ｂ側を他端部側と称することがある。
【００２４】
図３は、オペレータハンドル３の軸線Ｏ方向に沿う断面図である。なお、図３では、破断線で示されているように、切断箇所を替えている。
図３に示すように、基部３３の外径ｄ１は、軸線Ｏ方向の一端部側から他端部側に向かうにしたがって、次第に大きくなるように形成されている。
【００２５】
図２に示すように、インナー部材４０は、基部３３の外周面３３ｐに沿って配置されている。インナー部材４０は、周方向に二分割されている。インナー部材４０は、一対のインナー分割体４１を有している。
【００２６】
図３に示すように、各インナー分割体４１は、半筒部４２と、頂壁部（位置決め部）４３と、を有している。例えば、インナー分割体４１の材料として、エラストマー、ゴム等を採用することができる。
【００２７】
半筒部４２は、半筒状をなし、軸線Ｏ方向に沿って延びている。半筒部４２の内周面４２ｉは、基部３３の周方向の外周面３３ｐに当接配置されている。
【００２８】
半筒部４２の内径ｄ２及び外径ｄ３は、軸線Ｏ方向の一端部側から他端部側に向かうにしたがって、次第に大きくなるように形成されている。
【００２９】
半筒部４２における軸線Ｏ方向の一端部側の端部の内径ｄ１１は、ハンドル本体３０の基部３３における軸線Ｏ方向の他端部側の端部の外径ｄ１２よりも小さい。
【００３０】
図２に示すように、頂壁部４３は、半筒部４２における軸線Ｏ方向の他端部側の端部４２ｂに設けられている。頂壁部４３は、半筒部４２の端部４２ｂから径方向内側に向かって延びている。頂壁部４３は、軸線Ｏ方向から見て、半環状をなしている。
【００３１】
図３に示すように、頂壁部４３の内周面（軸線Ｏ方向の一端部側を向く面）４３ｉは、基部３３の頂部３３ｂに当接配置されている。頂壁部４３の外周面（軸線Ｏ方向の他端部側を向く面）４３ｐには、外周側の縁部に、軸線Ｏ方向の他端部側に向かって突出する凸条部４４が設けられている。凸条部４４は、周方向に離間して３箇所に設けられている（図２参照）。
【００３２】
半割をなすインナー分割体４１は、ハンドル本体３０の基部３３の外周面３３ｐに沿って配置されるとともに、インナー分割体４１はハンドル本体３０の基部３３に係合等されていない構成である。このため、アウター部材５０及びキャップ６０が設けられていない（オペレータハンドル３からアウター部材５０及びキャップ６０が取り外された）状態では、インナー分割体４１をハンドル本体３０の基部３３から容易に取り外すことができる。
【００３３】
図２に示すように、アウター部材５０は、インナー部材４０の外周側に配置されている。アウター部材５０は、筒状部５１と、拡径部５２と、取付環状部５３と、を有している。例えば、アウター部材５０の材料として、ＡＥＳ樹脂等を採用することができる。アウター部材５０の材料は、剛性があり、変形しにくい材料が好ましい。
【００３４】
筒状部５１は、筒状をなし、軸線Ｏ方向に沿って延びている。図３に示すように、筒状部５１の内周面５１ｉは、インナー部材４０の半筒部４２の周方向の外周面４２ｐに当接配置されている。
【００３５】
筒状部５１の内径ｄ４及び外径ｄ５は、軸線Ｏ方向の一端部側から他端部側に向かうにしたがって、次第に大きくなるように形成されている。筒状部５１は、楔形状をなしている。
【００３６】
筒状部５１の内周面５１ｉの傾斜角度（内周面５１ｉと軸線Ｏ方向となす角度）は、インナー部材４０の半筒部４２の外周面４２ｐの傾斜角度（外周面４２ｐと軸線Ｏ方向となす角度）と略同一である。アウター部材５０を軸線Ｏ方向の他端部側に移動させるようとしても、筒状部５１の内周面５１ｉが半筒部４２の外周面４２ｐに当接する。アウター部材５０は、変形しにくい。また、規制部４は、筒状部５１における軸線Ｏ方向の一端部側の端部の内径ｄ１３が、インナー部材４０の半筒部４２における軸線Ｏ方向の他端部側の端部の外径ｄ１４よりも小さくなるようにして構成されている。このため、楔形状をなすアウター部材５０の筒状部５１により、アウター部材５０がインナー部材４０から抜けることがない。このようにして、アウター部材５０はインナー部材４０に取り付けられるとともに、アウター部材５０はインナー部材４０に対して軸線Ｏ方向の他端部側への移動が規制されている。なお、アウター部材５０及びインナー部材４０の一方に突起（不図示。以下同じ。）が形成され、アウター部材５０及びインナー部材４０の他方に突起と係合される凹部（不図示。以下同じ。）が形成されて、アウター部材５０がインナー部材４０に取り付けられていてもよい。
【００３７】
拡径部５２は、筒状部５１における軸線Ｏ方向の他端部側の端部５１ｂに設けられている。拡径部５２は、軸線Ｏ方向の一端部側から他端部側に向かうにしたがって、次第に径方向外側に向かうように形成されている。拡径部５２の傾斜角度（拡径部５２と軸線Ｏ方向となす角度）は、筒状部５１の傾斜角度（筒状部５１と軸線Ｏ方向となす角度）よりも大きい。拡径部５２は、軸線Ｏ方向から見て環状をなしている（図２参照）。
【００３８】
取付環状部５３は、筒状部５１における軸線Ｏ方向の他端部側の端部５２ｂに設けられている。取付環状部５３は、軸線Ｏ方向に沿って延びている。図２に示すように、取付環状部５３は、軸線Ｏ方向から見て略環状をなしている。
【００３９】
取付環状部５３には、径方向外側に向かって突出する支持突起５６が設けられている。支持突起５６は、取付環状部５３の周方向に離間して４箇所に設けられている（図２では３箇所のみ示されている）。
【００４０】
取付環状部５３において、各支持突起５６の周方向両側には、取付環状部５３を径方向に貫通するスリット５７が形成されている。
【００４１】
取付環状部５３における軸線Ｏ方向の他端部側の端部には、径方向外側に向かって突出する係合突起５８が設けられている。係合突起５８は、取付環状部５３の周方向に離間して２箇所に設けられている（図２では１箇所のみ示されている）。係合突起５８は、軸線Ｏ方向の一端部側に向かうにしたがって、次第に径方向の突出高さが高くなる形状をなしている。
【００４２】
拡径部５２が設けられることにより、取付環状部５３の最大外径ｄ６は、筒状部５１の外径ｄ５よりも大きい。
【００４３】
キャップ６０は、キャップ本体部６１と、キャップ縁部６２と、を有している。キャップ本体部６１は、ハンドル本体３０、インナー部材４０及びアウター部材５０における軸線Ｏ方向の他端部側に配置されている。利用者は、アウター部材５０及びキャップ６０を把持する。
【００４４】
キャップ本体部６１は、軸線Ｏ方向から見て円形状をなしている。図３に示すように、キャップ本体部６１は、径方向中心が、軸線Ｏ方向の他端部側に盛り上がった形状をなしている。
【００４５】
キャップ本体部６１の内周面６１ｉ（軸線Ｏ方向の一端部側を向く面）は、インナー部材４０の凸条部４４に当接配置されている。キャップ本体部６１に軸線Ｏ方向の一端部側を向く力が作用すると、キャップ本体部６１の内周面６１ｉはインナー部材４０の凸条部４４に支持されているため、キャップ本体部６１が軸線Ｏ方向の一端部側に凹むことが抑制されている。
【００４６】
キャップ縁部６２は、キャップ本体部６１の外周側の縁部から、軸線Ｏ方向の一端部側に延びている。キャップ縁部６２は、軸線Ｏ方向から見て環状をなしている（図２参照）。キャップ縁部６２は、アウター部材５０の径方向外側に配置されている。
【００４７】
キャップ縁部６２には、アウター部材５０の支持突起５６と対応する箇所に、径方向外側に凹む支持凹部６６が形成されている。アウター部材５０の支持突起５６は、キャップ縁部６２の支持凹部６６に配置されている。キャップ縁部６２に径方向内側を向く力が作用すると、キャップ縁部６２の支持凹部６６はアウター部材５０の支持突起５６に支持されているため、キャップ縁部６２が径方向内側に凹むことが抑制されている。
【００４８】
キャップ縁部６２には、アウター部材５０の係合突起５８と対応する箇所に、径方向外側に凹む係合凹部６８が形成されている。アウター部材５０の係合突起５８は、キャップ縁部６２の係合凹部６８に係合されている。キャップ６０に軸線Ｏ方向の他端部側を向く力が作用すると、アウター部材５０の係合突起５８がキャップ縁部６２の係合凹部６８に係合されているため、キャップ６０がアウター部材５０から軸線Ｏ方向の他端部側に抜け落ちることが抑制されている。
【００４９】
次に、ハンドル本体３０の基部３３に、インナー部材４０、アウター部材５０及びキャップ６０を取り付ける取付方法について説明する。
図４は、建具用ハンドルの組み立てを説明する図であり、（ａ）ハンドル本体３０の基部３３にアウター部材５０を被せた状態を示し、（ｂ）ハンドル本体３０の基部３３とアウター部材５０との間にインナー部材４０を配置した状態を示し、（ｃ）アウター部材５０をハンドル本体３０の基部３３の頂部３３ｂ側に引き上げた状態を示している。
図４（ａ）に示すように、ハンドル本体３０の基部３３の頂部３３ｂ側からアウター部材５０を被せて、ハンドル本体３０の基部３３の外周側にアウター部材５０を配置する。この段階では、アウター部材５０は、最終的な取付位置（図４（ｃ）参照）よりも、ハンドル本体３０の基部３３の基端部３３ａ側に配置しておく。
【００５０】
図４（ｂ）に示すように、ハンドル本体３０の基部３３とアウター部材５０との間に、インナー部材４０を配置する。この際に、インナー部材４０の頂壁部４３が基部３３の頂部３３ｂに当接されることで、インナー部材４０の軸線Ｏ方向の位置決めがされる。
【００５１】
図４（ｃ）に示すように、アウター部材５０をハンドル本体３０の基部３３の頂部３３ｂ側に引き上げて、アウター部材５０の内周面５１ｉがインナー部材４０の外周面４２ｐに当接するようにする。
【００５２】
図３に示すように、キャップ６０をアウター部材５０に被せて、キャップ６０の支持凹部６６にアウター部材５０の支持突起５６を配置させるとともに、キャップ６０の係合凹部６８にアウター部材５０の係合突起５８を係合させる。以上により、オペレータハンドル３が完成する。
【００５３】
このように構成された縦辷り出し窓１００では、インナー部材４０は、ハンドル本体３０の基部３３の外周面３３ｐに沿って配置されている。アウター部材５０の内周面５１ｉはインナー部材４０の外周面４２ｐに当接配置されている。インナー部材４０の外周側にアウター部材５０が配置されているため、オペレータハンドル３の外径が大きくなり、多くの人にとって握りやすい。さらに、拡径部５２が設けられることにより、取付環状部５３の外径ｄ６は筒状部５１の外径ｄ５よりも大きくなり、取付環状部５３の外周側に設けられたキャップ６０をより一層握りやすい。
【００５４】
また、例えばアウター部材をインナー部材または基材にそのまま取り付けると、利用者がアウター部材を持ってハンドルを操作する際にアウター部材を持ち上げてしまい、アウター部材を引き抜いてしまう可能性がある。本実施形態では、アウター部材５０の少なくとも基端部３３ａ側から頂部３３ｂ側への移動を規制する規制部４を備えているため、アウター部材５０がインナー部材４０の頂部３３ｂ側から抜け落ちることが抑制される。
【００５５】
また、アウター部材５０の基端部３３ａ側の内径ｄ１３は、インナー部材４０の頂部３３ｂ側の外径ｄ１４よりも小さい。よって、アウター部材５０がインナー部材４０から頂部３３ｂ側に抜け落ちることが、抑制される。
【００５６】
また、インナー部材４０は周方向に複数に分割されているため、インナー部材４０をハンドル本体３０の基部３３の基端部３３ａ側から、インナー部材４０とアウター部材５０との間に配置することができる。
【００５７】
また、インナー部材４０の頂壁部４３をハンドル本体３０の基部３３の頂部３３ｂに当接させて、インナー部材４０の軸線Ｏ方向の位置決めをすることができる。
【００５８】
また、利用者の好みに応じて、ハンドル本体３０から、インナー部材４０、アウター部材５０及びキャップ６０を取り外して、ハンドル本体３０を把持する形態とすることもできる。
【００５９】
（変形例１）
次に、本発明の一実施形態の変形例１に係る建具用ハンドルについて、主に図５を用いて説明する。
下記に示す変形例の説明において、前述した部材と同一の部材には同一の符号を付して、その説明を省略する。
図５は、本発明の一実施形態の変形例１に係る建具用ハンドルを示し、（ａ）軸線方向に直交する方向から見た図であり、（ｂ）Ａ−Ａ断面図である。図５（ａ）において、後述するアウター部材を二点鎖線で示している。
【００６０】
図５に示すように、本変形例では、オペレータハンドル３Ａは、ハンドル本体３０と、インナー部材４０Ａと、係合部材７０と、アウター部材５０Ａと、を備えている。
【００６１】
インナー部材４０Ａの外周面４２ｑは、軸線Ｏ方向に沿って配置されている。インナー部材４０Ａの外周面４２ｑには、径方向内側に凹む嵌合凹部４６が形成されている。
【００６２】
係合部材７０は、嵌合部７１と、突出片部（突出部）７２と、を有している。嵌合部７１は、軸線Ｏ方向から見て円弧状をなしている。嵌合部７１は、半円よりも大きい形状をなしている。嵌合部７１は、インナー部材４０Ａの嵌合凹部４６に嵌合されている。突出片部７２は、嵌合部７１における軸線Ｏ方向の一端部側に設けられている。突出片部７２は、周方向に離間して２箇所に設けられている。突出片部７２は、軸線Ｏ方向の一端部側に向かうにしたがって、次第に径方向外側に向かって延びている。
【００６３】
アウター部材５０Ａは、筒状部５１Ａと、持ち手部５２Ａと、を有している。筒状部５１Ａは、筒状をなし、軸線Ｏ方向に沿って延びている。筒状部５１Ａは、インナー部材４０Ａの周方向外側を覆っている。
【００６４】
持ち手部５２Ａは、筒状部５１Ａにおける軸線Ｏ方向の他端部側の端部５１ｂに設けられている。持ち手部５２Ａは、インナー部材４０Ａの周方向外側及び軸線Ｏ方向の他端部側を覆っている。
【００６５】
持ち手部５２Ａの外周面には、端部５１ｂから軸線Ｏ方向の他端部側に向かうにしたがって、次第に径方向外側に向かうように形成された傾斜面５２ｃが形成されている。傾斜面５２ｃが形成されることにより、持ち手部５２Ａの最大外径ｄ６は、筒状部５１Ａの外径ｄ５よりも大きい。
【００６６】
筒状部５１Ａの内周面には、径方向外側に向かって凹む係合凹部（溝部）５９が形成されている。係合凹部５９には、係合部材７０の突出片部７２における軸線Ｏ方向の一端部側の端部７２ａが係合されている。このようにして、アウター部材５０Ａは、インナー部材４０Ａに取り付けられている。本変形例では、係合凹部５９と突出片部７２とが、規制部４Ａを構成している。
【００６７】
このように構成された縦辷り出し窓では、インナー部材４０Ａは、ハンドル本体３０の基部３３の外周面３３ｐに沿って配置されている。アウター部材５０Ａは、インナー部材４０Ａの外周面４２ｑに沿って配置されている。インナー部材４０Ａの外周側にアウター部材５０Ａが配置されているため、オペレータハンドル３Ａの外径が大きくなり、多くの人にとって握りやすい。さらに、持ち手部５２Ａの傾斜面５２ｃが形成されることにより、持ち手部５２Ａの外径ｄ６は筒状部５１Ａの外径ｄ５よりも大きくなり、持ち手部５２Ａをより一層握りやすい。
【００６８】
また、アウター部材５０Ａに軸線Ｏ方向の他端部側への力が作用しても、インナー部材４０Ａに嵌合された係合部材７０の突出片部７２の端部７２ａがアウター部材５０Ａの係合凹部５９に係合されているため、アウター部材５０Ａがインナー部材４０Ａから抜け落ちることがない。
【００６９】
（変形例２）
次に、本発明の一実施形態の変形例２に係る建具用ハンドルについて、主に図６を用いて説明する。
図６は、本発明の一実施形態の変形例２に係る建具用ハンドルを示し、（ａ）軸線方向に直交する方向から見た図であり、（ｂ）Ｂ−Ｂ断面図である。図６（ａ）において、後述するアウター部材を二点鎖線で示している。
【００７０】
図６に示すように、本変形例では、オペレータハンドル３Ｂは、ハンドル本体３０と、インナー部材４０Ｂと、アウター部材５０Ｂと、を備えている。
【００７１】
インナー部材４０Ｂには、径方向に貫通するスリット４８が形成されている。スリット４８は、周方向に離間して２箇所に形成されている。インナー部材４０Ｂにおける各スリット４８の上方には、突出片部（突出部）４９が設けられている。突出片部４９は、軸線Ｏ方向の一端部側に向かうにしたがって、次第に径方向外側に向かって延びている。
【００７２】
アウター部材５０Ｂは、筒状部５１Ｂと、持ち手部５２Ｂと、を有している。筒状部５１Ｂは、筒状をなし、軸線Ｏ方向に沿って延びている。筒状部５１Ｂは、インナー部材４０Ｂの周方向外側を覆っている。
【００７３】
持ち手部５２Ｂは、筒状部５１Ｂにおける軸線Ｏ方向の他端部側の端部５１ｂに設けられている。持ち手部５２Ｂは、インナー部材４０Ｂの周方向外側及び軸線Ｏ方向の他端部側を覆っている。
【００７４】
持ち手部５２Ｂの外周面には、端部５１ｂから軸線Ｏ方向の他端部側に向かうにしたがって、次第に径方向外側に向かうように形成された傾斜面５２ｄが形成されている。傾斜面５２ｄが形成されることにより、持ち手部５２Ｂの最大外径ｄ６は、筒状部５１Ｂの外径ｄ５よりも大きい。
【００７５】
筒状部５１Ｂの内周面には、径方向外側に向かって凹む係合凹部（溝部）５９Ｂが形成されている。係合凹部５９Ｂには、インナー部材４０Ｂの突出片部４９における軸線Ｏ方向の一端部側の端部４９ａが係合されている。このようにして、アウター部材５０Ｂは、インナー部材４０Ｂに取り付けられている。本変形例では、係合凹部５９Ｂと突出片部４９とが、規制部４Ｂを構成している。
【００７６】
このように構成された縦辷り出し窓では、インナー部材４０Ｂは、ハンドル本体３０の基部３３の外周面３３ｐに沿って配置されている。アウター部材５０Ｂは、インナー部材４０Ｂの外周面４２ｑに沿って配置されている。インナー部材４０Ｂの外周側にアウター部材５０Ｂが配置されているため、オペレータハンドル３Ｂの外径が大きくなり、多くの人にとって握りやすい。さらに、持ち手部５２Ｂの傾斜面５２ｄが形成されることにより、持ち手部５２Ｂの外径ｄ６は筒状部５１Ｂの外径ｄ５よりも大きくなり、持ち手部５２Ｂをより一層握りやすい。
【００７７】
また、アウター部材５０Ｂに軸線Ｏ方向の他端部側への力が作用しても、インナー部材４０Ｂの突出片部４９の端部４９ａがアウター部材５０Ｂの係合凹部５９Ｂに係合されているため、アウター部材５０Ｂがインナー部材４０Ｂから抜け落ちることがない。
【００７８】
なお、上述した実施の形態において示した各構成部材の諸形状や組み合わせ等は一例であって、本発明の主旨から逸脱しない範囲において設計要求等に基づき種々変更可能である。
【００７９】
例えば、上記では、ハンドル本体３０と、インナー部材４０と、アウター部材５０と、キャップ６０と、を備えたオペレータハンドル３について説明したが、本発明はこれに限られない。インナー部材４０と、アウター部材５０と、キャップ６０と、を備えた形態の建具用ハンドルカバーであってもよい。この場合には、単体で把持可能とされていた既存のハンドル本体に対して、建具用ハンドルカバー（インナー部材４０、アウター部材５０及びキャップ６０）を取り付けることで、把持する部分の径が大きくなるため、多くの人にとって握りやすくすることができる。
【００８０】
また、上記に示す実施形態では、インナー部材４０は、２個に分割され、一対のインナー分割体４１を有しているが、本発明はこれに限られない。インナー部材４０が、分割されておらず、周方向の全周に連続して形成された形状であってもよい。
【００８１】
また、上記に示す実施形態では、インナー部材４０は頂壁部４３を有しているが、本発明はこれに限られず、インナー部材が基材の頂部に当接する位置決め部を有していない構成であってもよい。
【符号の説明】
【００８２】
１…枠体
２…障子
３，３Ａ，３Ｂ…オペレータハンドル（建具用ハンドル）
４，４Ａ，４Ｂ…規制部
３０…ハンドル本体
１１…上枠
１２…下枠
１３…縦枠
２０…框体
２１…上框
２２…下框
２３…縦框
３３…基部（基材）
３３ａ…基端部
３３ｂ…頂部
４０，４０Ａ，４０Ｂ…インナー部材
４１…インナー分割体
４２…半筒部
４３…頂壁部（位置決め部）
４４…凸条部
４９…突出片部（突出部）
５０，５０Ａ，５０Ｂ…アウター部材
５１…筒状部
５２…拡径部
５３…取付環状部
５９，５９Ｂ…係合凹部（溝部）
６０…キャップ
６１…キャップ本体部
６２…キャップ縁部
７０…係合部材
７２…突出片部（突出部）
Ｌ…ロックハンドル
Ｗ…開口部
【図１】
2020111901.tif 000003
【図２】
2020111901.tif 000004
【図３】
2020111901.tif 000005
【図４】
2020111901.tif 000006
【図５】
2020111901.tif 000007
【図６】
2020111901.tif 000008